(57)【要約】【課題】ドハティ増幅器の電力損失を低減する。【解決手段】キャリア増幅器１は、遅延回路３によって遅延された入力信号を増幅する。ピーク増幅器２は、入力信号の振幅が所定以上になると入力信号を増幅する。キャリア増幅器１の出力とピーク増幅器２の出力は合成され、コンデンサＣ３２を介して負荷に出力される。インピーダンス変換器４は、キャリア増幅器１の出力から見た負荷のインピーダンスをインピーダンス変換し、キャリア増幅器１の出力とピーク増幅器２の出力とをコンデンサＣ３１によって接続する。【選択図】図１
2011035754.tif 000002
【特許請求の範囲】
【請求項１】
入力信号を増幅するキャリア増幅器と前記入力信号の振幅が所定以上になると前記入力信号を増幅するピーク増幅器とを備え、前記キャリア増幅器の出力と前記ピーク増幅器の出力とを合成して負荷に出力するドハティ増幅器において、
前記キャリア増幅器の出力と前記ピーク増幅器の出力とを結合する容量素子を有し、前記キャリア増幅器の出力から見た前記負荷のインピーダンスをインピーダンス変換するインピーダンス変換器、
を有することを特徴とするドハティ増幅器。
【請求項２】
前記インピーダンス変換器は、
前記キャリア増幅器の前記入力信号を増幅する第１のトランジスタに電源を供給する第１のインダクタと、
前記ピーク増幅器の前記入力信号を増幅する第２のトランジスタに前記電源を供給する第２のインダクタと、を備え、
前記容量素子は、前記第１のトランジスタの出力と前記第２のトランジスタの出力とを結合することを特徴とする請求項１記載のドハティ増幅器。
【請求項３】
前記キャリア増幅器に入力する前記入力信号を遅延する遅延回路をさらに有することを特徴とする請求項１記載のドハティ増幅器。
【発明の詳細な説明】
【技術分野】
【０００１】
本件はキャリア増幅器とピーク増幅器とを有するドハティ増幅器に関する。
【背景技術】
【０００２】
近年、無線通信システムでは、基地局の省電力化を図るために、電力増幅器の高効率化が図られている。電力増幅の高効率化を図る電力増幅器の１つにドハティ増幅器がある（例えば、特許文献１参照）。
【０００３】
図５は、ドハティ増幅器のブロック図である。図５に示すように、ドハティ増幅器は、キャリア増幅器１０１、ピーク増幅器１０２、遅延回路１０３、およびインピーダンス変換器１０４を有している。
【０００４】
キャリア増幅器１０１の出力は、インピーダンス変換器１０４を介して負荷に接続される。キャリア増幅器１０１の負荷インピーダンスは、インピーダンス変換器１０４によってインピーダンス変換される。
【０００５】
ピーク増幅器１０２は、遅延回路１０３を介して入力信号が入力される。遅延回路１０３は、インピーダンス変換器１０４で生じる位相の遅れと同じ分だけ、入力信号の位相を遅らせる。これにより、インピーダンス変換器１０４を介して出力されるキャリア増幅器１０１の信号とピーク増幅器１０２から出力される信号は同相で合成され、負荷に供給される。
【０００６】
キャリア増幅器１０１は、Ａ級またはＡＢ級で動作し、ピーク増幅器１０２は、高効率のＣ級で動作する。ドハティ増幅器は、入力信号レベルがピーク増幅器１０２の動作するレベルに達するまでは、キャリア増幅器１０１が単独で動作する。このときのノードＮ１０１のインピーダンスは、高い状態となる。
【０００７】
ドハティ増幅器は、入力信号レベルが大きくなると、キャリア増幅器１０１が飽和領域に入るとともにピーク増幅器１０２が動作し始め、キャリア増幅器１０１とともに負荷を駆動する。このとき、ノードＮ１０１のインピーダンスは、インピーダンス変換器１０４の作用によって減少し、キャリア増幅器１０１は、出力電圧を一定に維持するために最大効率で動作する。
【０００８】
このように、ドハティ増幅器は、入力信号のレベルが大きいとき、キャリア増幅器１０１とピーク増幅器１０２が動作して大きな飽和電力を得るとともに、高効率で電力増幅を行うことができる。
【０００９】
図６は、図５のドハティ増幅器の回路図である。図６に示すように、ドハティ増幅器は、コンデンサＣ１０１〜１０４，Ｃ１１１〜Ｃ１１４、インダクタＬ１０１〜Ｌ１０４，Ｌ１１１〜Ｌ１１４、抵抗Ｒ１０１，Ｒ１１１、ＮＭＯＳ（Negative-channel Metal-Oxide Semiconductor）のトランジスタＭ１０１，Ｍ１１１、および１／４波長線路１１３，１１４を有している。
【００１０】
図６の点線枠１１１で囲った部分は、図５のキャリア増幅器１０１に対応する。点線枠１１２で囲った部分は、図５のピーク増幅器１０２に対応する。１／４波長線路１１３は、図５の遅延回路１０３に対応する。１／４波長線路１１４は、図５のインピーダンス変換器１０４に対応する。１／４波長線路１１４は、図６の右端に示すインダクタＬ１２１およびコンデンサＣ１２１，Ｃ１２２のＣＬＣ回路に置き換えることもできる。
【先行技術文献】
【特許文献】
【００１１】
【特許文献１】特開２００８−２０６１０６号公報
【発明の概要】
【発明が解決しようとする課題】
【００１２】
しかし、インピーダンス変換器が１／４波長線路の場合、電力損失が大きいという問題点があった。また、ＣＬＣ回路に置き換えても、インダクタが信号経路に直列に接続されるため電力損失が大きいという問題点があった。
【００１３】
本件はこのような点に鑑みてなされたものであり、電力損失を低減するドハティ増幅器を提供することを目的とする。
【課題を解決するための手段】
【００１４】
上記課題を解決するために、入力信号を増幅するキャリア増幅器と前記入力信号の振幅が所定以上になると前記入力信号を増幅するピーク増幅器とを備え、前記キャリア増幅器の出力と前記ピーク増幅器の出力とを合成して負荷に出力するドハティ増幅器が提供される。このドハティ増幅器は、前記キャリア増幅器の出力と前記ピーク増幅器の出力とを接続する容量素子を有し、前記キャリア増幅器の出力から見た前記負荷のインピーダンスをインピーダンス変換するインピーダンス変換器、を有する。
【発明の効果】
【００１５】
開示のドハティ増幅器によれば、電力損失を低減することができる。
【図面の簡単な説明】
【００１６】
【図１】第１の実施の形態に係るドハティ増幅器の回路図である。
【図２】第２の実施の形態に係るドハティ増幅器の回路図である。
【図３】第３の実施の形態に係るドハティ増幅器の回路図である。
【図４】第４の実施の形態に係るドハティ増幅器の回路図である。
【図５】ドハティ増幅器のブロック図である。
【図６】図５のドハティ増幅器の回路図である。
【発明を実施するための形態】
【００１７】
以下、第１の実施の形態を、図面を参照して詳細に説明する。
図１は、第１の実施の形態に係るドハティ増幅器の回路図である。図１に示すドハティ増幅器は、例えば、基地局、携帯電話、無線情報端末の送信電力の増幅に用いられる。ドハティ増幅器で増幅されたＲＦ（Radio Frequency）信号は、例えば、フィルタを介して、アンテナから無線送信される。
【００１８】
図１に示すようにドハティ増幅器は、コンデンサＣ１，Ｃ１１，Ｃ２１，Ｃ３１，Ｃ３２、インダクタＬ１〜Ｌ３，Ｌ１１〜Ｌ１３、抵抗Ｒ１，Ｒ１１、ＮＭＯＳのトランジスタＭ１，Ｍ１１、およびトランスミッションラインＴＭＬ１を有している。
【００１９】
インダクタＬ１〜Ｌ３、抵抗Ｒ１、トランジスタＭ１、およびコンデンサＣ１１は、キャリア増幅器１を形成している。キャリア増幅器１の抵抗Ｒ１には、キャリア増幅器１がＡ級またはＡＢ級で動作するようにバイアス電圧ｂ１が入力される。
【００２０】
キャリア増幅器１のトランジスタＭ１のドレインには、インダクタＬ２，Ｌ３を介して電源が供給される。トランジスタＭ１のゲートには、コンデンサＣ１、遅延回路３、およびインダクタＬ１を介して入力信号が入力される。トランジスタＭ１のゲートに入力された入力信号は、トランジスタＭ１によって増幅され、ドレインに接続されたインダクタＬ２，Ｌ３の接続点から取り出される。キャリア増幅器１で増幅された信号は、後述するインピーダンス変換器４を介して、ピーク増幅器２の出力と合成される。
【００２１】
インダクタＬ１１〜Ｌ１３、抵抗Ｒ１１、トランジスタＭ１１、およびコンデンサＣ２１は、ピーク増幅器２を形成している。ピーク増幅器２の抵抗Ｒ１１には、ピーク増幅器２が高効率のＣ級で動作するようにバイアス電圧ｂ２が入力される。
【００２２】
ピーク増幅器２のトランジスタＭ１１のドレインには、インダクタＬ１２，Ｌ１３を介して電源が供給される。トランジスタＭ１１のゲートには、コンデンサＣ１およびインダクタＬ１１を介して入力信号が入力される。トランジスタＭ１１のゲートに入力された入力信号は、トランジスタＭ１１によって増幅され、ドレインに接続されたインダクタＬ１２，Ｌ１３の接続点から取り出される。
【００２３】
トランスミッションラインＴＭＬ１は、遅延回路３を形成している。トランスミッションラインＴＭＬ１には、コンデンサＣ１を介して入力信号が入力され、入力信号を９０度遅延してキャリア増幅器１に出力する。なお、遅延回路３は、トランスミッションラインＴＭＬ１に限るものではなく、入力信号の位相を９０度遅延させる回路であればよい。
【００２４】
インダクタＬ３，Ｌ１３およびコンデンサＣ３１は、π型ＬＣＬ回路のインピーダンス変換器４を形成している。インピーダンス変換器４は、キャリア増幅器１の負荷インピーダンス（キャリア増幅器１の出力から見たコンデンサＣ３２に接続される負荷のインピーダンス）のインピーダンス変換をする。
【００２５】
インピーダンス変換器４のコンデンサＣ３１は、キャリア増幅器１の出力とピーク増幅器２の出力とを接続している。インダクタＬ３，Ｌ１３は、インピーダンス変換器４を形成しているとともに、キャリア増幅器１のトランジスタＭ１およびピーク増幅器２のトランジスタＭ１１への電源供給経路を形成している。インピーダンス変換器４は、キャリア増幅器１から出力される信号の位相を９０度進め、ピーク増幅器２のインダクタＬ１２，Ｌ１３の接続点に出力し、コンデンサＣ３２に出力する。なお、インダクタＬ３，Ｌ１３は、１／４波長線路で形成してもよい。
【００２６】
図１のドハティ増幅器において、キャリア増幅器１は、遅延回路３を介して入力信号が入力される。遅延回路３は、インピーダンス変換器４で生じる９０度の位相の進みと同じ分だけ、入力信号の位相を遅延させる。これにより、キャリア増幅器１から出力される信号とピーク増幅器２から出力される信号は同相で合成され、コンデンサＣ３２を介して負荷に供給される。
【００２７】
キャリア増幅器１は、Ａ級またはＡＢ級で動作し、ピーク増幅器２は、高効率のＣ級で動作する。ドハティ増幅器は、入力信号レベルが小さい場合、キャリア増幅器１が動作し、ピーク増幅器２は、ＯＦＦ状態となっており、その出力インピーダンスは無限大となっている。この状態では、キャリア増幅器１の出力点（インダクタＬ２，Ｌ３の接続点）のインピーダンスは、インピーダンス変換器４によって高い状態にある。ドハティ増幅器は、入力信号レベルが大きくなり、振幅が所定以上になると、キャリア増幅器１が飽和領域に入るとともにピーク増幅器２が動作し始め、キャリア増幅器１とともに負荷を駆動する。このとき、キャリア増幅器１の出力点のインピーダンスは、インピーダンス変換器４のインピーダンス変換の作用によって減少し、キャリア増幅器１は、出力電圧を一定に維持するために最大効率で動作する。
【００２８】
キャリア増幅器１の信号の出力点とピーク増幅器２の信号の出力点（インダクタＬ１２，Ｌ１３の接続点）は、コンデンサＣ３１を介して結合される。すなわち、キャリア増幅器１から出力される信号の信号経路に直列に接続されるのは、容量素子であり、１／４波長線路より電力損失が小さい。また、同じサイズのインダクタより、電力損失が小さい。また、インピーダンス変換器４を形成しているインダクタＬ３，Ｌ１３は、電源供給経路としても用いられるため、ドハティ増幅器全体を小型化することができる。
【００２９】
このように、図１のドハティ増幅器のインピーダンス変換器４は、キャリア増幅器１の出力とピーク増幅器２の出力とを容量素子のコンデンサＣ３１で結合するようにした。これにより、電力損失を低減することができる。
【００３０】
また、インピーダンス変換器４を形成するインダクタＬ３，Ｌ１３を電源供給経路として用いるので、ドハティ増幅器を小型化することができる。
次に、第２の実施の形態を、図面を参照して詳細に説明する。キャリア増幅器から出力される信号は、インピーダンス変換器によって位相が進み、ピーク増幅器の出力と合成される。そのため、第１の実施の形態では、キャリア増幅器に入力される入力信号を遅延回路によって遅延し、インピーダンス変換器から出力される信号とピーク増幅器から出力される信号を同相にするようにした。第２の実施の形態では、ピーク増幅器に入力される入力信号の位相を進角回路で進め、インピーダンス変換器から出力される信号とピーク増幅器から出力される信号の位相を同相にするようにする。
【００３１】
図２は、第２の実施の形態に係るドハティ増幅器の回路図である。図２において、図１と同じものには同じ符号を付し、その説明を省略する。
図２に示すように、キャリア増幅器１には、コンデンサＣ１を介して入力信号を入力する。ピーク増幅器２には、コンデンサＣ１および進角回路１１を介して入力信号を入力する。
【００３２】
進角回路１１は、コンデンサＣ４１〜Ｃ４３およびインダクタＬ２１，Ｌ２２を有している。進角回路１１は、コンデンサＣ１から出力される入力信号の位相を９０度進めてピーク増幅器２に出力する。
【００３３】
キャリア増幅器１から出力される信号は、インピーダンス変換器４によって位相が９０度進められ、コンデンサＣ３２に出力される。ピーク増幅器２に入力される信号は、進角回路１１で位相が９０度進められるので、キャリア増幅器１とインピーダンス変換器４を経由した信号の位相と、進角回路１１とピーク増幅器２を経由した信号の位相は、同相となる。
【００３４】
このように、進角回路１１によって、インピーダンス変換器４と同じ位相進み分、入力信号を進め、ピーク増幅器２に入力することもできる。これにより、負荷に出力されるキャリア増幅器１の信号とピーク増幅器２の信号の位相は同相となる。
【００３５】
次に、第３の実施の形態を、図面を参照して詳細に説明する。第３の実施の形態では、Ｎ−Ｗａｙドハティ増幅器について説明する。
図３は、第３の実施の形態に係るドハティ増幅器の回路図である。図３において、図１と同じものには同じ符号を付し、その説明を省略する。
【００３６】
図３には、２−Ｗａｙドハティ増幅器が示してある。図３のドハティ増幅器では、図１のドハティ増幅器に対し、キャリア増幅器１とピーク増幅器２の間に、ピーク増幅器２１が接続されている。ピーク増幅器２１は、インダクタＬ３１〜Ｌ３３、抵抗Ｒ２１、トランジスタＭ２１、コンデンサＣ５１を有している。ピーク増幅器２１は、ピーク増幅器２と同じ回路構成であり、その説明を省略する。
【００３７】
２−Ｗａｙドハティ増幅器では、図３に示すように、キャリア増幅器１とピーク増幅器２１の出力は、インピーダンス変換器２４によって接続される。ピーク増幅器２１とピーク増幅器２の出力は、インピーダンス変換器２５によって接続される。インピーダンス変換器２４は、インダクタＬ３，Ｌ３３およびコンデンサＣ５２によって形成され、インピーダンス変換器２５は、インダクタＬ３３，Ｌ１３およびコンデンサＣ５３によって形成されている。
【００３８】
インピーダンス変換器２４，２５は、図１で説明したインピーダンス変換器４と同様に、π型ＬＣＬ回路によって形成されている。従って、キャリア増幅器１およびピーク増幅器２１から出力される信号の信号経路には、容量素子であるコンデンサＣ５２，Ｃ５３が直列に接続される。
【００３９】
ピーク増幅器２１には、コンデンサＣ１および遅延回路２２を介して入力信号が入力される。キャリア増幅器１には、コンデンサＣ１および遅延回路２２，２３を介して入力信号が入力される。遅延回路２２，２３は、図１で示した遅延回路３と同様であり、入力された信号の位相を９０度遅延して出力する。
【００４０】
キャリア増幅器１から出力される信号は、インピーダンス変換器２４，２５によって位相が１８０度進められ、負荷が接続されるコンデンサＣ３２に出力される。キャリア増幅器１に入力される信号は、遅延回路２２，２３で位相が１８０度遅延されるので、キャリア増幅器１およびインピーダンス変換器２４，２５を経由した信号の位相と、ピーク増幅器２を経由した信号の位相は、同相となる。
【００４１】
ピーク増幅器２１から出力される信号は、インピーダンス変換器２５によって位相が９０度進められ、負荷が接続されるコンデンサＣ３２に出力される。ピーク増幅器２１に入力される信号は、遅延回路２２で位相が９０度遅延されるので、ピーク増幅器２１およびインピーダンス変換器２５を経由した信号の位相と、ピーク増幅器２を経由した信号の位相は、同相となる。
【００４２】
Ｎが３以上の場合も同様に遅延回路をピーク増幅器とキャリア増幅器の入力に設け、負荷が接続されるコンデンサで位相が同相となるようにする。
このように、Ｎ−Ｗａｙドハティ増幅器においても、キャリア増幅器とピーク増幅器の出力を容量素子で接続することにより、電力損失を低減することができる。また、ドハティ増幅器を小型化することができる。
【００４３】
なお、図２のドハティ増幅器においても、図３と同様にＮ−Ｗａｙドハティ増幅器とすることができる。この場合、追加するピーク増幅器の入力に進角回路を設けるようにする。
【００４４】
次に、第４の実施の形態を、図面を参照して詳細に説明する。第４の実施の形態では、差動化したドハティ増幅器について説明する。
図４は、第４の実施の形態に係るドハティ増幅器の回路図である。図４に示すようにドハティ増幅器は、キャリア増幅器３１、ピーク増幅器３２、およびインピーダンス変換器３３を有している。
【００４５】
キャリア増幅器３１は、コンデンサＣ６１〜Ｃ６４、インダクタＬ４１〜Ｌ４６、抵抗Ｒ２１，Ｒ２２、およびＮＭＯＳのトランジスタＭ３１，Ｍ３２を有している。キャリア増幅器３１は、差動増幅器を形成し、０度および１８０度の位相差の差動入力信号を増幅して、インダクタＬ４３，Ｌ４５の接続点とインダクタＬ４４，Ｌ４６の接続点から出力する。キャリア増幅器３１の抵抗Ｒ２１，Ｒ２２の接続点には、キャリア増幅器３１がＡ級またはＡＢ級で動作するようにバイアス電圧ｂ３が入力される。
【００４６】
ピーク増幅器３２は、コンデンサＣ７１〜Ｃ７４、インダクタＬ５１〜Ｌ５６、抵抗Ｒ３１，Ｒ３２、およびＮＭＯＳのトランジスタＭ４１，Ｍ４２を有している。ピーク増幅器３２は、差動増幅器を形成し、９０度および２７０度の位相差の差動入力信号を増幅して、インダクタＬ５３，Ｌ５５の接続点とインダクタＬ５４，Ｌ５６の接続点から出力する。ピーク増幅器３２の抵抗Ｒ３１，Ｒ３２の接続点には、ピーク増幅器３２が高効率のＣ級で動作するようにバイアス電圧ｂ４が入力される。
【００４７】
図４には示していないが、キャリア増幅器３１には、ピーク増幅器３２に入力される差動入力信号の位相を９０度遅延する遅延回路を有している。従って、図４に示すように、キャリア増幅器３１に入力される差動入力信号の位相は、ピーク増幅器３２に入力される差動入力信号の位相に対して９０度遅延している。
【００４８】
インピーダンス変換器３３は、コンデンサＣ６４，Ｃ７４およびインダクタＬ４５，Ｌ４６，Ｌ５５，Ｌ５６を有している。インピーダンス変換器３３は、差動のπ型ＬＣＬ回路のインピーダンス変換器を形成している。コンデンサＣ６４，Ｃ７４は、キャリア増幅器３１の差動出力とピーク増幅器３２の差動出力を結合している。インダクタＬ４５，Ｌ４６，Ｌ５５，Ｌ５６は、インピーダンス変換器３３を形成しているとともに、キャリア増幅器３１およびピーク増幅器３２への電源供給経路を形成している。
【００４９】
インピーダンス変換器３３は、キャリア増幅器３１から出力される差動信号の位相を９０度進め、ピーク増幅器３２のインダクタＬ５３，Ｌ５５およびインダクタＬ５４，Ｌ５６の接続点に出力し、負荷が接続されるコンデンサＣ８１，Ｃ８２に出力する。なお、インダクタＬ４５，Ｌ４６，Ｌ５５，Ｌ５６は、１／４波長線路で形成してもよい。
【００５０】
図４のドハティ増幅器は、図１のドハティ増幅器を差動化した回路であり、動作は図１のドハティ増幅器と同様であるので、その説明を省略する。
このように、差動化したドハティ増幅器においても、キャリア増幅器３１とピーク増幅器３２の出力を容量素子のコンデンサＣ６４，Ｃ７４で結合することにより、電力損失を低減することができる。また、ドハティ増幅器を小型化することができる。
【００５１】
なお、図４では、ピーク増幅器３２に入力される差動信号を遅延回路で遅延してキャリア増幅器３１に入力するとしたが、独立した信号源から出力される差動信号でキャリア増幅器３１とピーク増幅器３２を駆動してもよい。
【００５２】
また、第２の実施の形態で説明したように、キャリア増幅器３１に入力される差動信号を、進角回路で位相を進めてピーク増幅器３２に入力するようにしてもよい。また、第３の実施の形態で説明したように、差動化したピーク増幅器を複数接続して、差動のＮ−Ｗａｙドハティ増幅器を形成することもできる。
【００５３】
（付記１）  入力信号を増幅するキャリア増幅器と前記入力信号の振幅が所定以上になると前記入力信号を増幅するピーク増幅器とを備え、前記キャリア増幅器の出力と前記ピーク増幅器の出力とを合成して負荷に出力するドハティ増幅器において、
前記キャリア増幅器の出力と前記ピーク増幅器の出力とを結合する容量素子を有し、前記キャリア増幅器の出力から見た前記負荷のインピーダンスをインピーダンス変換するインピーダンス変換器、
を有することを特徴とするドハティ増幅器。
【００５４】
（付記２）  前記インピーダンス変換器は、
前記キャリア増幅器の前記入力信号を増幅する第１のトランジスタに電源を供給する第１のインダクタと、
前記ピーク増幅器の前記入力信号を増幅する第２のトランジスタに前記電源を供給する第２のインダクタと、を備え、
前記容量素子は、前記第１のトランジスタの出力と前記第２のトランジスタの出力とを結合することを特徴とする付記１記載のドハティ増幅器。
【００５５】
（付記３）  前記インピーダンス変換器は、
前記キャリア増幅器の前記入力信号を増幅する第１のトランジスタに電源を供給する第１の１／４波長線路と、
前記ピーク増幅器の前記入力信号を増幅する第２のトランジスタに前記電源を供給する第２の１／４波長線路と、を備え、
前記容量素子は、前記第１のトランジスタの出力と前記第２のトランジスタの出力とを結合することを特徴とする付記１記載のドハティ増幅器。
【００５６】
（付記４）  前記キャリア増幅器に入力する前記入力信号を遅延する遅延回路をさらに有することを特徴とする付記１記載のドハティ増幅器。
（付記５）  前記ピーク増幅器に入力する前記入力信号を進角する進角回路をさらに有することを特徴とする付記１記載のドハティ増幅器。
【００５７】
（付記６）  前記ピーク増幅器は、並列に複数接続され、前記インピーダンス変換器は、並列に複数接続された前記ピーク増幅器の出力を結合するピーク出力容量素子をさらに有することを特徴とする付記１記載のドハティ増幅器。
【００５８】
（付記７）  前記キャリア増幅器と前記ピーク増幅器は差動増幅器であり、前記インピーダンス変換器の前記容量素子は、前記キャリア増幅器の差動出力と前記ピーク増幅器の差動出力とを結合することを特徴とする付記１記載のドハティ増幅器。
【符号の説明】
【００５９】
１  キャリア増幅器
２  ピーク増幅器
３  遅延回路
４  インピーダンス変換器
Ｃ１，Ｃ１１，Ｃ２１，Ｃ３１，Ｃ３２  コンデンサ
Ｌ１〜Ｌ３，Ｌ１１〜Ｌ１３  インダクタ
Ｍ１，Ｍ１１  トランジスタ
ＴＭＬ１  トランスミッションライン
Ｒ１，Ｒ１１  抵抗
【図１】
2011035754.tif 000003
【図２】
2011035754.tif 000004
【図３】
2011035754.tif 000005
【図４】
2011035754.tif 000006
【図５】
2011035754.tif 000007
【図６】
2011035754.tif 000008